(57)【要約】  【課題】本発明は、電子機器に使用されるプリント基板のスルーホール導通めっきをパネルめっき用ラックで行うときに、製品内のめっき厚を均等化しつつプリント基板端部へのめっき付着を防止し、プリント基板端部からのめっき銅粉飛散による様々な不具合を防止するプリント基板のめっき方法を提供する。  【解決手段】一対の導電性の縦枠１１，１１を横枠１２，１２で間隔を保持して固定し、前記縦枠１１，１１は陰極としてプリント基板１３に給電して前記縦枠１１，１１の間にプリント基板１３を挟み込むように保持しながらめっき液に浸漬するパネルめっき用ラック１０を使用するプリント基板のめっき方法において、前記パネルめっき用ラック１０の上下には、前記プリント基板１３を挟み込むようなＶ字形と方形を組み合わせた断面形状を有する絶縁物質からなる遮蔽物１５ａ，１５ｂを装着する。【選択図】図１
2006291337.tif 000002
【特許請求の範囲】
【請求項１】
一対の導電性の縦枠を横枠で間隔を保持して固定し、前記縦枠は陰極としてプリント基板に給電して前記縦枠の間にプリント基板を挟み込むように保持しながらめっき液に浸漬するパネルめっき用ラックを使用するプリント基板のめっき方法において、
前記パネルめっき用ラックの上下には、前記プリント基板を挟み込むようなＶ字形と方形を組み合わせた断面形状を有する絶縁物質からなる遮蔽物を装着することを特徴とするプリント基板のめっき方法。
【請求項２】
上記パネルめっき用ラックの縦枠には、めっき厚を均等化するための開口部を有する板状遮蔽物が、プリント基板の着脱の際に開閉可能に取り付けられているパネルめっき用ラックであることを特徴とする請求項１記載のプリント基板のめっき方法。
【発明の詳細な説明】
【技術分野】
【０００１】
本発明はプリント基板のめっき方法に関するものであり、特に、電子機器に使用されるプリント基板のスルーホール導通めっきをパネルめっき用ラックで行うときに、製品内のめっき厚を均等化しつつプリント基板端部へのめっき付着を防止し、プリント基板端部からのめっき銅粉飛散による様々な不具合を防止するプリント基板のめっき方法に関するものである。
【背景技術】
【０００２】
電子機器に使用されるプリント基板のスルーホール導通めっきをパネルめっきで行う場合、あらかじめ導電化処理を施した基板を導電性のラックで保持して陰極を形成し、めっき液が満たされた槽内の両端に設置された陽極間の中央部分に陽極に対峙させて浸漬し通電することで行われている。
【０００３】
このときに使用されるラックとしては、一方と他方の直線状部材の上端部に上部接続アームを取り付けるとともに下端部に下部接続アームを取り付け、それぞれの接続アームに長さ調整用の長孔を設けてボルト締めしてラック部を形成し、それぞれの直線状部材にプリント基板を挟持する溝を形成した構成が知られている（例えば特許文献１参照）。
【０００４】
一般にパネルめっきの場合、プリント基板端部周辺は中央部近傍に比べてめっきが厚く付く傾向がある。これは、図７に示すように、めっき槽５１に浸漬された陰極であるプリント基板５３は、中央部近傍は対峙する陽極５２からほぼ均等に電流が受けられるのに対し、周辺部は周囲からの回り込みの電流も受けてしまい、このため、プリント基板５３の周辺部は電流密度分布が高くなってめっきが厚く付着する傾向となる。
【０００５】
この対策として、金属線からなる網状の遮蔽板を陽極と基板の間に挿入して、電流密度分布を均等化することが示されている（例えば特許文献２参照）。また、貫通穴が多数開口している箱型遮蔽板を用いることにより、プリント基板のめっき厚さを均一にする装置が知られている（例えば特許文献３参照）。
【０００６】
一方、プリント基板の中央部における電流密度と周囲部における電流密度とが均一となるように、孔部の孔径と配置密度が異なる複数の領域を設定した遮蔽板を用いるめっき方法が知られている（例えば特許文献４参照）。さらに、保持具（ラック）に遮蔽板を設けた構成も知られている（例えば特許文献５参照）。
【特許文献１】実開昭６１−１８２０７１号公報
【特許文献２】特開昭５０−５０２３６号公報
【特許文献３】実開昭５６−２１４８５号公報
【特許文献４】特開２００２−５４０００号公報
【特許文献５】特開２００２−１６１３９８号公報
【発明の開示】
【発明が解決しようとする課題】
【０００７】
上述したように、遮蔽板を設けることにより、プリント基板表面のめっき厚のバラツキは改善されてきた。しかし、プリント基板端部側面に付着するめっき厚については、遮蔽板を設けても周囲から回り込みの電流を受けてしまうので改善することができなかった。例えば図８に示すように、プリント基板６０をラックに３段掛けした場合、上下のプリント基板６０の端部側面における破線で囲繞した箇所（黒色で塗りつぶした箇所）６１に厚くめっきが付いてしまう。図９は前記プリント基板端部側面６１部分の断面写真であり、その周囲もめっきが厚く付着している状況がよく分かる。
【０００８】
プリント基板表面のめっき厚はそれほど不均等ではないため、パターンを形成する際に製品自体のエッチングに支障を来たすことはないが、プリント基板の端部側面およびその周囲については、図１０の写真に示すように、６１ａ部分にエッチング残りが生じる。このエッチング残りが、図１１の写真の６１ｂ部分に示すように、剥がれて落ちると導電性のコンタミナントとなり、例えばその後のソルダーレジスト層形成工程で該コンタミナントが巻き込まれるとショート不良となるなど、様々な問題が生じることになる。従来は、プリント基板表面のめっき厚のバラツキだけが重視されてきたが、このようなエッチング残りの飛散による不具合も見逃してはならない。
【０００９】
プリント基板端部側面にめっきが付くことを防止するために、プリント基板端部をマスクしてしまうことも考えられるが、プリント基板端部をマスクするために余計な工程が増加してコストアップとなる。また、マスクした箇所の周囲にめっきが厚く付くという弊害もある。したがって、プリント基板端部側面はほとんどがマスクされ、その周囲に至るに従って、順次電流密度が増していくようなめっき方法が必要となる。
【００１０】
そこで、本発明は、電子機器に使用されるプリント基板のスルーホール導通めっきをパネルめっき用ラックで行うときに、製品内のめっき厚を均等化しつつプリント基板端部へのめっき付着を防止し、プリント基板端部からのめっき銅粉飛散による様々な不具合を防止するプリント基板のめっき方法を提供することを目的とする。
【課題を解決するための手段】
【００１１】
本発明は上記目的を達成するために提案されたものであり、請求項１記載の発明は、一対の導電性の縦枠を横枠で間隔を保持して固定し、前記縦枠は陰極としてプリント基板に給電して前記縦枠の間にプリント基板を挟み込むように保持しながらめっき液に浸漬するパネルめっき用ラックを使用するプリント基板のめっき方法において、前記パネルめっき用ラックの上下には、前記プリント基板を挟み込むようなＶ字形と方形を組み合わせた断面形状を有する絶縁物質からなる遮蔽物を装着することを特徴とするプリント基板のめっき方法を提供する。
【００１２】
この構成によれば、パネルめっき用ラックの上下に装着されている遮蔽物が電流の受けを減少させて余分なめっきの付着を防止する。該遮蔽物は、プリント基板を挟み込むようなＶ字形と方形を組み合わせた断面形状を有するため、周囲から回り込み電流を受けることがなく、プリント基板の中央部近傍と端部周辺とで電流密度がほぼ均一となる。
【００１３】
請求項２記載の発明は、上記パネルめっき用ラックの縦枠には、めっき厚を均等化するための開口部を有する板状遮蔽物が、プリント基板の着脱の際に開閉可能に取り付けられているパネルめっき用ラックであることを特徴とする請求項１記載のプリント基板のめっき方法を提供する。
【００１４】
この構成によれば、パネルめっき用ラックの縦枠に設けられている板状遮蔽物を両側に開放し、上記下側の遮蔽物のＶ字形の溝部分にプリント基板を差し込む。そして、前記板状遮蔽物を閉じ、上側の遮蔽物のＶ字形の溝部分を下向きにしてプリント基板に差し込んで、パネルめっき用ラックにプリント基板を固定する。
【発明の効果】
【００１５】
本発明は、上述したように、開口部を有する板状遮蔽物により、プリント基板のめっき厚が均等化され、Ｖ字形と方形を組み合わせた上下の遮蔽物によりプリント基板端部側面およびその周辺がマスクされてめっき付着が防止され、プリント基板端部からのめっき銅粉飛散による様々な不具合を防止することができる。
【発明を実施するための最良の形態】
【００１６】
以下、本発明に係るプリント基板のめっき方法について、好適な実施例をあげて説明する。電子機器に使用されるプリント基板のスルーホール導通めっきをパネルめっき用ラックで行うときに、製品内のめっき厚を均等化しつつプリント基板端部へのめっき付着を防止し、プリント基板端部からのめっき銅粉飛散による様々な不具合を防止するという目的を、パネルめっき用ラックの上下には、前記プリント基板を挟み込むようなＶ字形と方形を組み合わせた断面形状を有する絶縁物質からなる遮蔽物を装着し、パネルめっき用ラックの縦枠には、めっき厚を均等化するための開口部を有する板状遮蔽物を、プリント基板の着脱の際に開閉可能に取り付けてめっきを施すことにより実現した。
【実施例１】
【００１７】
図１は本発明のめっき方法に使用されるパネルめっき用ラックの正面図であり、このパネルめっき用ラック（以下単にラックという）１０の主部材は、左右一対の導電性部材からなる縦枠１１，１１と、この縦枠１１，１１の上下に取り付けられて左右の間隔を保持する横枠１２，１２とからなり、前記縦枠１１，１１はプリント基板１３，１３…の両側を挟み込むように保持しながらめっき液に浸漬し、陰極としてプリント基板１３，１３…に給電するように形成されている。
【００１８】
前記縦枠１１にはそれぞれ板状遮蔽物１４が左右方向へ開閉可能に取り付けられており、この板状遮蔽物１４は上部と下部にプリント基板１３の上下端部を中央部分まで覆う延設部１４ａ，１４ｂが形成され、該板状遮蔽物１４の中間に開口部１４ｃが設けられている。また、該板状遮蔽物１４の所々に孔１４ｄ，１４ｄ…が開穿されている。なお、該板状遮蔽物１４はラック１０の前後面（図面の手前側と奥側）に、それぞれ左右方向へ開閉可能に装着されている。
【００１９】
そして、前記板状遮蔽物１４の内側には、前記ラック１０の上下位置にそれぞれ遮蔽物１５ａ，１５ｂが設置されている。図２はラック１０の下部に設置された遮蔽物１５ｂの写真、図３は遮蔽物１５ｂの側面の写真、図４は遮蔽物の断面形状を示す説明図である。
【００２０】
図２乃至図４に示すように、遮蔽物１５ａ，１５ｂはＶ字形と方形を組み合わせた断面形状を有する絶縁物質からなり、該遮蔽物１５ａ，１５ｂの溝にプリント基板１３を挟み込むと、方形のｃ区間ではプリント基板端部側面およびその周辺はほとんどがマスクされ、めっきが付くのを抑制する。さらに、Ｖ字形の区間ｂは、その周囲に行くに従って順次電流密度が増していく形状を形成している。
【００２１】
全体をより均等な厚みにめっきを付けるためには遮蔽物１５ａ，１５ｂの各部寸法は、ａ：２０ｍｍ，ｂ：５０ｍｍ，ｃ：２０ｍｍ，ｄ：４０ｍｍが最良である。ただし、±１０％程度の寸法変更は許容される。なお、ｅ部の寸法は、プリント基板１３のサイズによって任意に設定してよい。なお、上部の遮蔽物１５ａは溝が下向きとなるように上下か移動可能に設置し、下部の遮蔽物１５ｂは溝が上向きとなるように設置する。
【００２２】
前記プリント基板１３のめっき処理を前記ラック１０で行うときは、図１に示すように、ラック１０に取り付けられた板状遮蔽物１４，１４を両側に開放し、１枚のプリント基板１３の両端を左右の縦枠１１，１１に挟持させるとともに、該プリント基板１３の下端をラック１０の下部に設置された遮蔽物１５ｂの溝に差し込み、図示しない位置決め手段で固定する。以下、前記下段のプリント基板１３の上部に、残り２枚のプリント基板１３，１３を順次重ね、左右の縦枠１１，１１に挟持させて位置決め手段で固定する。
【００２３】
そして、左右の板状遮蔽物１４，１４を閉じてから、ラック１０の上部に設置された遮蔽物１５ａを下方に閉じて、該遮蔽物１５ａの溝を上段のプリント基板１３の上端に差し込んで固定する。
【００２４】
このように、前記ラック１０に複数のプリント基板１３を保持させて板状遮蔽物１４で遮蔽するとともに、該板状遮蔽物１４の内側に設置した上下の遮蔽物１５ａ，１５ｂでプリント基板１３の端部側面を遮蔽することにより、プリント基板の中央部近傍と端部周辺とで電流密度がほぼ均一となる。
【００２５】
図５は遮蔽物１５ａ，１５ｂを使用してめっきを行ったプリント基板端部の断面写真であり、図９に示した従来のめっき方法を行ったプリント基板の断面写真と比較して、プリント基板端部のめっき厚が薄くなっていることが分かる。
【００２６】
図６は遮蔽物がない場合のめっき厚分布と本発明の遮蔽物を使用した場合のめっき厚分布を比較した図であり、同図（１）に示す従来のめっき方法に比べて、同図（２）に示す本発明のめっき方法では、プリント基板端部のめっき厚が薄く、かつ、全体のめっき厚分布がより一層均一化されていることが分かる。このように、ラックの上下に遮蔽物を配置する本発明のめっき方法の有効性が確認できた。
【００２７】
なお、本発明は、本発明の精神を逸脱しない限り種々の改変を為すことができ、そして、本発明が該改変されたものに及ぶことは当然である。
【図面の簡単な説明】
【００２８】
【図１】本発明のめっき方法に使用されるパネルめっき用ラックの正面図。
【図２】図１に示すラックの下部に設置された遮蔽物の写真。
【図３】図１に示す遮蔽物の側面の写真。
【図４】図１に示す遮蔽物の断面形状を示す説明図。
【図５】本発明のめっき方法を行ったプリント基板端部の断面写真。
【図６】本発明のめっき方法と従来のめっき方法とのめっき厚分布を比較した図。
【図７】従来のめっき方法の不具合を示す説明図。
【図８】従来のめっき方法の不具合を示す説明図。
【図９】従来のめっき方法を行ったプリント基板端部の断面写真。
【図１０】従来のめっき方法の不具合を示す説明写真。
【図１１】従来のめっき方法の不具合を示す説明写真。
【符号の説明】
【００２９】
１０  パネルめっき用ラック
１１  縦枠
１２  横枠
１３  プリント基板
１４  板状遮蔽物
１４ａ  延設部
１４ｂ  延設部
１４ｃ  開口部
１４ｄ  孔
１５ａ  遮蔽物
１５ｂ  遮蔽物
【図１】
2006291337.tif 000003
【図４】
2006291337.tif 000004
【図６】
2006291337.tif 000005
【図７】
2006291337.tif 000006
【図８】
2006291337.tif 000007
【図２】
2006291337.tif 000008
【図３】
2006291337.tif 000009
【図５】
2006291337.tif 000010
【図９】
2006291337.tif 000011
【図１０】
2006291337.tif 000012
【図１１】
2006291337.tif 000013